【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、次の条件式を満たすことを特徴とするズームレンズ。
０．５＜｜Ｆ2 ／Ｆ3 ｜＜１．２                        ・・・（１）
２．５ｍｍ＜ｆB(min)＜４．８ｍｍ                    ・・・（１０）
ここで、Ｆi は第ｉ群の焦点距離、ｆB(min)はズームレンズ中のパワーのあるレンズの最終面から像面までの空気換算長であり、全ズーム域で最も短くなるときの値である。
【請求項２】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、次の条件式を満たすことを特徴とするズームレンズ。
０．４９＜｜Ｌ3 ／Ｌ2 ｜＜１                          ・・・（２）
２．５ｍｍ＜ｆB(min)＜４．８ｍｍ                    ・・・（１０）
ここで、Ｌi は第ｉ群の広角端から望遠端にかけての移動量、ｆB(min)はズームレンズ中のパワーのあるレンズの最終面から像面までの空気換算長であり、全ズーム域で最も短くなるときの値である。
【請求項３】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、次の条件式を満たすことを特徴とするズームレンズ。
２＜（Ｆ3,4w）／ＩＨ＜３．３                          ・・・（３）
２．５ｍｍ＜ｆB(min)＜４．８ｍｍ                    ・・・（１０）
ここで、（Ｆ3,4w）は広角端における第３群と第４群の合成焦点距離、ＩＨはイメージサークル半径、ｆB(min)はズームレンズ中のパワーのあるレンズの最終面から像面までの空気換算長であり、全ズーム域で最も短くなるときの値である。
【請求項４】
物体側から順に、正の屈折力を有する第１群、負の屈折力を有し変倍時広角端から望遠端にかけて物体側から像面側に移動する第２群、正の屈折力を有する第３群、正の屈折力を有する変倍時可動の第４群を有し、前記第３群が、物体側から順に、物体側に凸面を向けた正レンズ、物体側に凸面を向けた正レンズと像面側に凹面を向けた負レンズとの接合レンズからなり、前記第３群の物体側の正レンズと接合レンズが共に物体側に向けた凸面の周辺部を周上又はその数カ所で鏡枠部に当て付けた状態で保持され、下記の条件式（１０）を満足することを特徴とするズームレンズ。
２．５ｍｍ＜ｆB(min)＜４．８ｍｍ                    ・・・（１０）
ここで、ｆB(min)はズームレンズ中のパワーのあるレンズの最終面から像面までの空気換算長であり、全ズーム域で最も短くなるときの値である。
【請求項５】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、次の条件式を満たすことを特徴とするズームレンズ。
０．５＜｜Ｆ2 ／Ｆ3 ｜＜１．２                        ・・・（１）
０．４９＜｜Ｌ3 ／Ｌ2 ｜＜１                          ・・・（２）
２．５ｍｍ＜ｆB(min)＜４．８ｍｍ                    ・・・（１０）
ここで、Ｆi は第ｉ群の焦点距離、Ｌi は第ｉ群の広角端から望遠端にかけての移動量、ｆB(min)はズームレンズ中のパワーのあるレンズの最終面から像面までの空気換算長であり、全ズーム域で最も短くなるときの値である。
【請求項６】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、次の条件式を満たすことを特徴とするズームレンズ。
０．５＜｜Ｆ2 ／Ｆ3 ｜＜１．２                        ・・・（１）
２＜（Ｆ3,4W）／ＩＨ＜３．３                          ・・・（３）
２．５ｍｍ＜ｆB(min)＜４．８ｍｍ                    ・・・（１０）
ここで、Ｆi は第ｉ群の焦点距離、（Ｆ3,4W）は広角端における第３群と第４群の合成焦点距離、ＩＨはイメージサークル半径、ｆB(min)はズームレンズ中のパワーのあるレンズの最終面から像面までの空気換算長であり、全ズーム域で最も短くなるときの値である。
【請求項７】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、次の条件式を満たすことを特徴とするズームレンズ。
０．４９＜｜Ｌ3 ／Ｌ2 ｜＜１                          ・・・（２）
２＜（Ｆ3,4W）／ＩＨ＜３．３                          ・・・（３）
２．５ｍｍ＜ｆB(min)＜４．８ｍｍ                    ・・・（１０）
ここで、Ｌi は第ｉ群の広角端から望遠端にかけての移動量、（Ｆ3,4W）は広角端における第３群と第４群の合成焦点距離、ＩＨはイメージサークル半径、ｆB(min)はズームレンズ中のパワーのあるレンズの最終面から像面までの空気換算長であり、全ズーム域で最も短くなるときの値である。
【請求項８】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、次の条件式を満たすことを特徴とするズームレンズ。
０．５＜｜Ｆ2 ／Ｆ3 ｜＜１．２                        ・・・（１）
０．４９＜｜Ｌ3 ／Ｌ2 ｜＜１                          ・・・（２）
２＜（Ｆ3,4W）／ＩＨ＜３．３                          ・・・（３）
２．５ｍｍ＜ｆB(min)＜４．８ｍｍ                    ・・・（１０）
ここで、Ｆi は第ｉ群の焦点距離、Ｌi は第ｉ群の広角端から望遠端にかけての移動量、（Ｆ3,4W）は広角端における第３群と第４群の合成焦点距離、ＩＨはイメージサークル半径、ｆB(min)はズームレンズ中のパワーのあるレンズの最終面から像面までの空気換算長であり、全ズーム域で最も短くなるときの値である。
【請求項９】
次の条件式を満たすことを特徴とする請求項１から８の何れか１項記載のズームレンズ。
０．６＜｜Ｆ2 ／Ｆ3 ｜＜１                            ・・・（４）
ここで、Ｆi は第ｉ群の焦点距離である。
【請求項１０】
前記第４群を光軸方向に移動させて焦点合わせを行うことを特徴とする請求項１から９の何れか１項記載のズームレンズ。
【請求項１１】
次の条件式を満たすことを特徴とする請求項１から１０の何れか１項記載のズームレンズ。
０．３＜Ｆ3 ／Ｆ4 ＜０．８                            ・・・（５）
ここで、Ｆi は第ｉ群の焦点距離である。
【請求項１２】
次の条件式を満たすことを特徴とする請求項１から１１の何れか１項記載のズームレンズ。
０．４＜｜β2T｜＜１                                  ・・・（６）
ここで、β2Tは第２群の望遠端での横倍率である。
【請求項１３】
前記第４群が正レンズ１枚からなることを特徴とする請求項１から１２の何れか１項記載のズームレンズ。
【請求項１４】
前記第３群が、物体側から順に、正レンズと正レンズと負レンズの３枚のレンズからなることを特徴とする請求項１から１３の何れか１項記載のズームレンズ。
【請求項１５】
前記第３群の中少なくとも１面が非球面であることを特徴とする請求項１から１４の何れか１項記載のズームレンズ。
【請求項１６】
前記第４群の中少なくとも１面が非球面であることを特徴とする請求項１から１５の何れか１項記載のズームレンズ。
【請求項１７】
前記第２群の中少なくとも１面が非球面であることを特徴とする請求項１から１６の何れか１項記載のズームレンズ。
【請求項１８】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に移動する第３群、正の屈折力を有する変倍時可動の第４群を有し、前記第１群が正レンズ１枚からなり、前記第２群の最も物体側が負レンズで、次の条件式を満たすことを特徴とするズームレンズ。
ν21＜４０                                            ・・・（７）
２．５ｍｍ＜ｆB(min)＜４．８ｍｍ                    ・・・（１０）
ここで、ν21は第２群の最も物体側の負レンズのアッべ数、ｆB(min)はズームレンズ中のパワーのあるレンズの最終面から像面までの空気換算長であり、全ズーム域で最も短くなるときの値である。
【請求項１９】
次の条件式を満たすことを特徴とする請求項１８記載のズームレンズ。
ν21＜３５                                            ・・・（８）
【請求項２０】
前記第２群の最も物体側が負レンズで、次の条件式を満たすことを特徴とする請求項１から１７の何れか１項記載のズームレンズ。
ν21＜４０                                            ・・・（７）
ここで、ν21は第２群の最も物体側の負レンズのアッべ数である。
【請求項２１】
前記第２群の最も物体側が負レンズで、次の条件式を満たすことを特徴とする請求項１から１７の何れか１項記載のズームレンズ。
ν21＜３５                                            ・・・（８）
ここで、ν21は第２群の最も物体側の負レンズのアッべ数である。
【請求項２２】
前記第３群が、物体側から順に、物体側に凸面を向けた正レンズ、物体側に凸面を向けた正レンズと像面側に凹面を向けた負レンズとの接合レンズからなり、前記第３群の物体側の正レンズと接合レンズが共に物体側に向けた凸面の周辺部を周上又はその数カ所で鏡枠部に当て付けた状態で保持されていることを特徴とする請求項１から２０の何れか１項記載のズームレンズ。
【請求項２３】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に常に移動する第３群、正の屈折力を有し変倍時可動の第４群を有し、前記第３群は正レンズと負レンズからなる接合レンズを有し、前記第４群は１枚の正レンズからなり、下記の条件式（１０）を満足することを特徴とするズームレンズ。
２．５ｍｍ＜ｆB(min)＜４．８ｍｍ                    ・・・（１０）
ここで、ｆB(min)はズームレンズ中のパワーのあるレンズの最終面から像面までの空気換算長であり、全ズーム域で最も短くなるときの値である。
【請求項２４】
前記第４群の正レンズの少なくとも１面は非球面であることを特徴とする請求項２３記載のズームレンズ。
【請求項２５】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に常に移動する第３群、正の屈折力を有し変倍時可動の第４群を有し、前記第２群と第３群はそれぞれ正レンズと負レンズからなる接合レンズを有し、下記の条件式（１０）を満足することを特徴とするズームレンズ。
２．５ｍｍ＜ｆB(min)＜４．８ｍｍ                    ・・・（１０）
ここで、ｆB(min)はズームレンズ中のパワーのあるレンズの最終面から像面までの空気換算長であり、全ズーム域で最も短くなるときの値である。
【請求項２６】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に常に移動する第３群、正の屈折力を有し変倍時可動の第４群を有し、前記第３群は物体側より正レンズと、正レンズと負レンズからなる接合レンズとから構成され、下記の条件式（１０）を満足することを特徴とするズームレンズ。
２．５ｍｍ＜ｆB(min)＜４．８ｍｍ                    ・・・（１０）
ここで、ｆB(min)はズームレンズ中のパワーのあるレンズの最終面から像面までの空気換算長であり、全ズーム域で最も短くなるときの値である。
【請求項２７】
物体側より順に、正の屈折力を有する第１群、負の屈折力を有する第２群、正の屈折力を有する第３群、正の屈折力を有する第４群を有し、変倍時、第１群と第２群の間隔、第２群と第３群の間隔、第３群と第４群の間隔がそれぞれ変化し、前記第３群は、物体側から順に、両凸正レンズと、物体側に凸面を向けた正メニスカスレンズと負メニスカスレンズの接合レンズとからなり、前記第４群は物体側面の曲率が大きい両凸レンズからなり、下記の条件式（１０）を満足することを特徴とするズームレンズ。
２．５ｍｍ＜ｆB(min)＜４．８ｍｍ                    ・・・（１０）
ここで、ｆB(min)はズームレンズ中のパワーのあるレンズの最終面から像面までの空気換算長であり、全ズーム域で最も短くなるときの値である。
【請求項２８】
物体側から順に、正の屈折力を有する第１群、負の屈折力を有する第２群、正の屈折力を有する第３群、正の屈折力を有する第４群を有し、変倍時、第１群と第２群の間隔、第２群と第３群の間隔、第３群と第４群の間隔がそれぞれ変化し、前記第１群は１枚の正レンズから構成され、前記第２群は、物体側から順に、単レンズと、負レンズと正レンズの接合レンズとの３枚のレンズが配置され、前記第３群は、物体側から順に、単レンズと、正レンズと負レンズの接合レンズとの３枚のレンズが配置され、前記第４群は１枚の正レンズからなり、下記の条件式（１０）を満足することを特徴とするズームレンズ。
２．５ｍｍ＜ｆB(min)＜４．８ｍｍ                    ・・・（１０）
ここで、ｆB(min)はズームレンズ中のパワーのあるレンズの最終面から像面までの空気換算長であり、全ズーム域で最も短くなるときの値である。
【請求項２９】
物体側から順に、正の屈折力を有する第１群、負の屈折力を有する第２群、正の屈折力を有する第３群、正の屈折力を有する第４群を有し、変倍時、第１群と第２群の間隔、第２群と第３群の間隔、第３群と第４群の間隔がそれぞれ変化し、前記第１群は正レンズと負レンズの２枚のレンズからなり、第２群又は第３群中に少なくとも一組の正レンズと負レンズの接合レンズを含み、下記の条件式（１０）を満足することを特徴とするズームレンズ。
２．５ｍｍ＜ｆB(min)＜４．８ｍｍ                    ・・・（１０）
ここで、ｆB(min)はズームレンズ中のパワーのあるレンズの最終面から像面までの空気換算長であり、全ズーム域で最も短くなるときの値である。
【請求項３０】
物体側から順に、正の屈折力を有する変倍時固定の第１群、負の屈折力を有し変倍時広角端から望遠端にかけて物体側から像面側に移動する第２群、正の屈折力を有し変倍時広角端から望遠端にかけて像面側から物体側に常に移動する第３群、１枚のレンズからなり正の屈折力を有し変倍時可動の第４群を有し、前記第２群と第３群はそれぞれ正レンズと負レンズからなる接合レンズを有し、前記第３群乃至前記第４群中に少なくとも１面の非球面を有することを特徴とするズームレンズ。
【請求項３１】
物体側から順に、正の屈折力を有する第１群、負の屈折力を有する第２群、正の屈折力を有する第３群、正の屈折力を有する第４群を有し、変倍時、第１群と第２群の間隔、第２群と第３群の間隔、第３群と第４群の間隔がそれぞれ変化し、前記第１群は１枚の正レンズから構成され、前記第２群は、物体側から順に、単レンズと、負レンズと正レンズの接合レンズとの３枚のレンズが配置され、前記第３群は、物体側から順に、単レンズと、正レンズと負レンズの接合レンズとの３枚のレンズが配置され、前記第４群は１枚の正レンズからなり、前記第３群乃至前記第４群中に少なくとも１面の非球面を有することを特徴とするズームレンズ。
【請求項３２】
下記の条件式（１１）を満足することを特徴とする請求項１から３１の何れか１項記載のズームレンズ。
２．５ｍｍ＜ｆB(max)＜４．８ｍｍ                    ・・・（１１）
ここで、ｆB(max)はズームレンズ中のパワーのあるレンズの最終面から像面までの空気換算長であり、全ズーム域で最も長くなるときの値である。